(57)【要約】【課題】  容器において、予め成形済みのスプーンを箱体に収容しておくとともに、該スプーンが内容物中にもぐることを防止し、かつ箱体の把持力によるゆがみを防止すること。【解決手段】  箱体１１に内容物Ａとスプーン３０を収容し、該箱体１１の開口１１Ｅを蓋１２により覆う容器１０であって、箱体１１は、底板１１Ｄと上面の開口１１Ｅにつながる正面板１１Ａと背面板１１Ｂ、両側板１１Ｃとを有し、箱体１１の相対する正面板１１Ａと背面板１１Ｂにおける、外面の把持予定領域Ｈに対応する内面にスプーン引掛け部２１Ａ、２１Ｂを設け、スプーン３０は、柄３１と計量部３２を有し、柄３１の基端に設けた平面視で直線状をなす端部３０Ａと、計量部３２の先端外縁の平面視で広幅直線状をなす端部３０Ｂを上記スプーン引掛け部２１Ａ、２１Ｂのそれぞれに引掛け可能とし、スプーン引掛け部２１Ａ、２１Ｂは、少なくともスプーン３０を載せる段部を備えるもの。【選択図】  図１
2008063009.tif 000002
【特許請求の範囲】
【請求項１】
箱体に内容物とスプーンを収容し、該箱体の開口を蓋により覆う容器であって、
箱体は、底板と上面の開口につながる正面板と背面板、両側板とを有し、
箱体の相対する正面板と背面板における、外面の把持予定領域に対応する内面にスプーン引掛け部を設け、
スプーンは、柄と計量部を有し、柄の基端に設けた平面視で直線状をなす端部と、計量部の先端外縁の平面視で広幅直線状をなす端部を上記スプーン引掛け部のそれぞれに引掛け可能とし、
スプーン引掛け部は、少なくともスプーンを載せる段部を備える容器。
【請求項２】
前記スプーン引掛け部は、相対する正面板と背面板の内面に形成された溝状であって、該溝の下側段部にスプーンを載せてスプーンを留置する請求項１に記載の容器。
【請求項３】
前記スプーン引掛け部は、箱体の開口における短手方向で相対する正面板、背面板の内面に設けられたスプーン引掛け部に引掛け可能とされる請求項１又は２に記載の容器。
【請求項４】
前記スプーンの柄は補強用リブを有する請求項１〜３のいずれかに記載の容器。
【請求項５】
前記蓋は箱体の背面板にヒンジ結合され、閉蓋時に該箱体の開口を覆う請求項１〜４のいずれかに記載の容器。
【発明の詳細な説明】
【技術分野】
【０００１】
本発明は容器に関する。
【背景技術】
【０００２】
洗剤等の容器として、蓋によって覆われる箱体に内容物とスプーンを収容してなるものがある。スプーンにより、内容物を計量し、小出しできる。
【０００３】
また、特許文献１の洗剤等の容器として、箱体の開口に封着される封止材にスプーン構成部を設けたものがある。容器の開封後にその開口から封止材を切取り、更にこの封止材からスプーン構成部を分離し、スプーン構成部の折罫線に沿ってスプーンを折り上げ、使用に供するものである。
【０００４】
また、特許文献２の洗剤等の容器として、箱体の内壁に設けた切込みに、スプーンの計量部の先端縁を係止させたものがある。容器の開封後に、スプーンを箱体の内壁から取外し、使用に供するものである。
【特許文献１】特開平10-297665
【特許文献２】実開平7-22916
【発明の開示】
【発明が解決しようとする課題】
【０００５】
従来の容器では、スプーンが内容物の上に単に載置される態様で箱体に収容されるから、物流過程での反転等により、スプーンが内容物の中にもぐる可能性がある。このため、容器を開封した使用者は、内容物の中からスプーンを探し出す必要があるし、内容物で手も汚れるという不都合がある。
【０００６】
また、特許文献１の容器では、開封後に、封止材からスプーン構成部を分離し、スプーン構成部からスプーンを折り上げる作業が必要になり、使用者にとって極めて煩雑である。
【０００７】
また、特許文献２の容器では、スプーンの使い勝手は向上するが、使用者が箱体の相対する側壁を把持して持ち上げるとき、把持力により箱体がゆがんで損傷したり、箱体と蓋の接着剥がれを生ずる。
【０００８】
本発明の課題は、容器において、予め成形済みのスプーンを箱体に収容しておくとともに、該スプーンが内容物中にもぐることを防止し、かつ箱体の把持力によるゆがみを防止することにある。
【課題を解決するための手段】
【０００９】
請求項１の発明は、箱体に内容物とスプーンを収容し、該箱体の開口を蓋により覆う容器であって、箱体は、底板と上面の開口につながる正面板と背面板、両側板とを有し、箱体の相対する正面板と背面板における、外面の把持予定領域に対応する内面にスプーン引掛け部を設け、スプーンは、柄と計量部を有し、柄の基端に設けた平面視で直線状をなす端部と、計量部の先端外縁の平面視で広幅直線状をなす端部を上記スプーン引掛け部のそれぞれに引掛け可能とし、スプーン引掛け部は、少なくともスプーンを載せる段部を備えるようにしたものである。
【００１０】
【００１１】
【００１２】
【００１３】
【００１４】
【発明を実施するための最良の形態】
【００１５】
図１は実施例１の容器を示す模式図、図２は実施例１の容器を示す断面図、図３は実施例２の容器を示す模式図、図４は実施例２の容器を示す断面図、図５はスプーンを示す模式図である。
【実施例】
【００１６】
（実施例１）（図１、図２、図５）
容器１０は、例えば粉体洗剤を内容物Ａとするものであり、図１、図２に示す如く、箱体１１に内容物とスプーン３０を収容し、箱体１１の開口を蓋１２により覆う。容器を１０開封した使用者は、スプーン３０により内容物Ａを計量し、小出しできる。
【００１７】
箱体１１は、紙だけ、又は紙を主材料としたプラスチックフィルムをラミネートされた素材を折り曲げて組立てたものであり、正面板１１Ａ、背面板１１Ｂ、両側板１１Ｃ、底板１１Ｄを有し、上面に開口１１Ｅを有する。箱体１１は、正面板１１Ａ、背面板１１Ｂ、両側板１１Ｃを上側辺で折り返した内側折り返し片１１Ｆを備え、この折り返し片１１Ｆを内折り接着してある。
【００１８】
箱体１１は、正面板１１Ａ、背面板１１Ｂ、両側板１１Ｃとそれらの内側折り返し片１１Ｆの相並ぶ面一の上端面に、蓋１２又は封緘片を接着可能にする。このとき、正面板１１Ａ、背面板１１Ｂ、両側板１１Ｃに対する折り返し片１１Ｆの折り返し部を半切りすることにて、正面板１１Ａ、背面板１１Ｂ、両側板１１Ｃとそれらの折り返し片１１Ｆの上端面の面積を広くし、結果として、蓋１２又は封緘片のための接着面積を大きく、接着強度を強くし、密封性を向上できる。
【００１９】
蓋１２は、紙だけ、又は紙を主材料としたプラスチックフィルムをラミネートされた素材を折り曲げて組立てたものであり、前板１２Ａ、後板１２Ｂ、両側板１２Ｃ、天板１２Ｄを有する。蓋１２は、箱体１１の背面板１１Ｂに接着されるヒンジ結合部１２Ｅを後板１２Ｂに備え、箱体１１の開口１１Ｅを覆う。蓋１２は、前板１２Ａの下縁中央部につまみ片１２Ｆを突出させ、つまみ片１２Ｆの裏面を箱体１１の正面板１１Ａの外面に貼り付け、箱体１１の開口１１Ｅを封止する。
【００２０】
容器１０は、箱体１１の正面板１１Ａ、背面板１１Ｂ、両側板１１Ｃを側壁とし、これらの側壁の上側辺から一定高さ範囲Ｈ（5〜30mm、好適には5〜10mm）に渡る外面を把持予定領域とする。使用者は、箱体１１の相対する側壁の把持予定領域Ｈを手指で掴み、容器１０を持ち上げ可能にする。本実施例では、箱体１１の短手方向で相対する正面板１１Ａ、背面板１１Ｂの上記範囲Ｈに渡る外面を把持予定領域として用いる。
【００２１】
容器１０は、箱体１１の相対する正面板１１Ａ、背面板１１Ｂの内面、本実施例ではそれらの折返し片１１Ｆのそれぞれに、溝状（スリット状）のスプーン引掛け部２１Ａ、２１Ｂを設け、スプーン３０の両端部３０Ａ、３０Ｂのそれぞれをそれらのスプーン引掛け部２１Ａ、２１Ｂに引掛けて留置する状態で、スプーン３０を容器１０に収容可能にする。このとき、スプーン引掛け部２１Ａ、２１Ｂは、箱体１１の前述した相対する正面板１１Ａ、背面板１１Ｂの把持予定領域Ｈに対応する内面に設けられる。
【００２２】
尚、容器１０の箱体１１における折り返し片１１Ｆに設けるスプーン引掛け部２１Ａ、２１Ｂを溝状としたことにより、前述した蓋１２又は封緘片が接着される折り返し片１１Ｆの上端面を確保できる。
【００２３】
スプーン３０は、図５に示す如く、柄３１と計量部３２を有し、柄３１の基端に平面視（図５（Ｂ））で直線状突部をなす端部３０Ａ（幅ｗ1、厚みｔ1）を設け、計量部３２の先端外縁に平面視（図５（Ｂ））で広幅の直線状突部をなす端部３０Ｂ（幅ｗ2、厚みｔ2）を設けてある。スプーン３０の端部３０Ａは箱体１１のスプーン引掛け部２１Ａの溝に、端部３０Ｂはスプーン引掛け部２１Ｂの溝に係入される。スプーン引掛け部２１Ａ、２１Ｂ溝幅ｓ1、ｓ2はスプーン３０の端部３０Ａ、３０Ｂの厚みｔ1、ｔ2より僅かに大きく設定される。スプーン３０は、端部３０Ａ、３０Ｂが直線状突部をなしてスプーン引掛け部２１Ａ、２１Ｂに係入され、それらの直線状突部を正面板１１Ａ、背面板１１Ｂの内面に当接又は近接せしめられ、図１（Ａ）の平面視でスプーン引掛け部２１Ａ、２１Ｂに対して自由に旋回動する等が抑えられ、物流過程で作用する振動等によりスプーン引掛け部２１Ａ、２１Ｂから脱落することがない。
【００２４】
本実施形態によれば以下の作用効果を奏する。
(a)スプーン３０の両端部３０Ａ、３０Ｂのそれぞれを、箱体１１の相対する正面板１１Ａ、背面板１１Ｂの内面のそれぞれに設けたスプーン引掛け部２１Ａ、２１Ｂに引掛けるものであるから、予め成形済みのスプーン３０を容器１０の内部に概ね固定的に留置できる。従って、容器１０が物流過程で反転等しても、スプーン３０がその正立復元後まで内容物Ａの中にもぐることがない。容器１０を開封した使用者は、スプーン３０を内容物Ａの中から探し出す必要がないし、手を内容物Ａで汚すおそれもなく、直ちにスプーン３０を用いて内容物Ａを取り出しでき、使い勝手が良い。
【００２５】
(b)箱体１１の正面板１１Ａ、背面板１１Ｂの把持予定領域Ｈに対応する内面にスプーン引掛け部２１Ａ、２１Ｂを設けたから、使用者が箱体１１の相対する正面板１１Ａ、背面板１１Ｂに把持力を加えたとき、スプーン引掛け部２１Ａ、２１Ｂに引掛けてあるスプーン３０がこの把持力に対する突っ張りになる。把持力による箱体１１のゆがみを防止できる。紙容器１０（箱体１１と蓋１２が紙製の容器１０）においてメリットが大きい。
【００２６】
(c)箱体１１の正面板１１Ａ、背面板１１Ｂの折返し片１１Ｆにスプーン引掛け部２１Ａ、２１Ｂを形成することにより、箱体１１に格別の部品を付加することなく、箱体１１の密封性を損なうこともなく、簡易にスプーン引掛け部２１Ａ、２１Ｂを設けることができる。
【００２７】
(d)スプーン引掛け部２１Ａ、２１Ｂを溝状にすることにより、スプーン３０の端部３０Ａ、３０Ｂを溝に入れ、スプーン３０をより安定的に留置できる。
【００２８】
（実施例２）（図３、図４）
実施例２の容器１０が実施例１と異なる点は、箱体１１の正面板１１Ａ、背面板１１Ｂの内面、本実施例ではそれらの折返し片１１Ｆのそれぞれに設けるスプーン引掛け部２１Ａ、２１Ｂを、段状にしたことにある。
【００２９】
尚、段状のスプーン引掛け部２１Ａ、２１Ｂは、折返し片１１Ｆに設けるものとせず、箱体１１と別体の紙片等を正面板１１Ａ、背面板１１Ｂの内面に貼着する等により設けたものでも良い。
【００３０】
本実施例によれば、スプーン引掛け部２１Ａ、２１Ｂを段状にすることにより、スプーン３０の端部３０Ａ、３０Ｂを段の上に載せるだけで、スプーン３０を容易に留置できる。
【００３１】
尚、本発明は、箱体の側壁が四角状をなすものに限らず、丸形状等をなすものでも良く、その場合にも、相対する側壁の内面のそれぞれにスプーン引掛け部が設けられる。
【００３２】
また、本発明は、箱体の相対する側壁の一方に溝状のスプーン引掛け部を設け、他方に段状のスプーン引掛け部を設けるものでも良い。
【００３３】
また、本発明は、容器の材質、スプーンの材質として、板紙、段ボール、プラスチック等を採用でき、これらに限定されない。尚、スプーンの材質としては、使用者の把持力に対する箱体の補強の観点から、板紙であれば、坪量210〜600、より好ましくは坪量450〜550のものが好ましく、プラスチックであれば、剛性、曲げ疲労性の点からポリプロピレン樹脂が好ましい。
【図面の簡単な説明】
【００３４】
【図１】図１は実施例１の容器を示す模式図である。
【図２】図２は実施例１の容器を示す断面図である。
【図３】図３は実施例２の容器を示す模式図である。
【図４】図４は実施例２の容器を示す断面図である。
【図５】図５はスプーンを示す模式図である。
【符号の説明】
【００３５】
１０  容器
１１  箱体
１１Ａ  正面板
１１Ｂ  背面板
１１Ｃ  側板
１１Ｄ  底板
１１Ｅ  開口
１２  蓋
２１Ａ、２１Ｂ  スプーン引掛け部
３０  スプーン
３０Ａ、３０Ｂ  端部
３１  柄
３２  計量部
Ａ  内容物
Ｈ  把持予定領域
【図１】
2008063009.tif 000003
【図２】
2008063009.tif 000004
【図３】
2008063009.tif 000005
【図４】
2008063009.tif 000006
【図５】
2008063009.tif 000007